(57)【要約】【課題】  環境保全を考慮し、かつシロアリに刺激を与えずに、有効にシロアリを防除するシロアリ防除用容器、シロアリ防除装置およびその防除方法を提供する。【解決手段】  土壌微生物により分解される樹脂（生分解性樹脂という）を10重量％以上、好ましくは30重量％以上を含有する樹脂を素材とし、かつ１箇所以上に４mm２以上の孔を有する立体構造を有することを特徴とするシロアリ防除用容器に、セルロース成分を含有する基材とシロアリに対して経口的に摂取させることでシロアリを遅効的に致死させる殺虫剤（食毒剤という）の少なくとも１種類または２種類以上の混合物を収納して作成されたシロアリ防除装置を地中に埋設することにより、環境中に長期に残留することがなく、高いシロアリ防除効果を示すことを見出した。【特許請求の範囲】
【請求項１】
土壌微生物により分解される樹脂（以下、生分解性樹脂という）を10重量％以上、好ましくは30重量％以上含有する樹脂を素材とし、かつ１箇所またはそれ以上に４mm２以上の孔を有する立体構造を有することを特徴とするシロアリ防除用容器。
【請求項２】
セルロース成分を含有する基材とシロアリに対して経口的に摂取させることでシロアリを遅効的に致死させる殺虫剤（以下、食毒剤という）の１種または2種以上の混合物を請求項１の容器内に収納することを特徴とするシロアリ防除装置。
【請求項３】
請求項２に記載のシロアリ防除装置を地中に埋設することを特徴とするシロアリ防除方法。
【発明の詳細な説明】
【技術分野】
【０００１】
本発明は、シロアリ防除用容器、シロアリ防除装置ならびにこの装置を地中に埋設することを特徴とするシロアリ防除方法に関する。
【背景技術】
【０００２】
シロアリ類を防除するためには、殺虫剤を建物の床下の土壌へ散布したり、シロアリが食害する木部へ直接処理する方法が一般的である。一方、近年レスケミカル化の動きや処理の簡便さからベイト剤が好まれる傾向になった。これまでのベイト剤は、まず木材などのシロアリの餌をプラスチック容器などに収納し地中に埋設し、この餌にシロアリがついたら、ベイト剤に交換するという方法が一般的である。（例えば非特許文献１）しかしながら、このような方法では、餌からベイト剤に交換するという刺激のためにシロアリが逃げてしまい、ベイト剤にシロアリが来なくなるということがたびたび生じた。また、このような容器が地中に埋められ、そのまま回収されずに放置されることもあり、環境保全上問題を生じていた。このようなことから、シロアリに刺激を与えずに、有効にシロアリを防除し、かつ環境に配慮したシロアリ防除用容器、シロアリ防除装置およびシロアリ防除方法が望まれていた。
【０００３】
【非特許文献１】Journal of Economic Entomology, Vol.93,no.5, p1498-1507, Response of Reticulitermes spp. (Isoptera: Rhinotermitidae) in Northern California to Baiting with Hexaflumuron with Sentricon Termite Colony Elimination System, GALL M. GETTY, MICHAEL I. HAVERTY, KIRSTEN A. COPREN, and VERNARD R. LEWIS）。
【発明の開示】
【発明が解決しようとする課題】
【０００４】
環境保全を考慮し、かつシロアリに刺激を与えずに、有効にシロアリを防除するシロアリ防除用容器、シロアリ防除装置およびシロアリ防除方法を提供することが本発明の課題である。
【課題を解決するための手段】
【０００５】
本発明者は環境を汚染させず、シロアリを簡単かつ長期間安定的に防除する方法について鋭意検討した結果、土壌微生物により分解される樹脂（以下、生分解性樹脂という）を10重量％以上、好ましくは30重量％以上を含有する樹脂を素材とし、かつ１箇所またはそれ以上の４mm２以上の孔を有する立体構造を有することを特徴とするシロアリ防除用容器に、セルロース成分を含有する基材とシロアリに対して経口的に摂取させることでシロアリを遅効的に致死させる殺虫剤（以下、食毒剤という）の１種または２種以上の混合物を収納して作成されたシロアリ防除装置を地中に埋設することにより、環境中に長期に残留することがなく、高いシロアリ防除効果を示すことを見出した。
【０００６】
本発明に用いる生分解性樹脂とは、土壌中で微生物により分解を受けるものであれば特に限定は無く、例えば、デンプンを主成分とする天然高分子系、ポリ乳酸系、微生物生産系などの樹脂を上げることができる。この生分解性樹脂に既存の高分子樹脂を90重量％まで、好ましくは70重量％まで混合することができ、混合する比率によって、生分解の時間を調節することが可能である。
【０００７】
１箇所以上に４mm２以上の孔を有する立体構造を有することを特徴とするシロアリ防除用容器の具体的な形状としては、立体構造であれば特に限定は無く、例えば、立方体、直方体、球型、円柱型、棒型、円錐型、卵型、ペットボトル型などの構造をあげることができる。そのどこかにシロアリが通過可能な４mm２以上の孔が１箇所以上有するものであればよい。
【０００８】
本発明に用いる食毒剤としては、昆虫成長調節剤（ピリプロキシフェン、フェノキシカルブ、ヒドラメチルノン、ジフルベンズロン、クロルフルアズロン、ヘキサフルムロン、トリフルムロン、ビストリフルロンなど）、スルフルラミド、ホウ素系化合物などを、一種または２種以上を組み合わせて使用することができる。セルロース成分を含有する基材としては、セルロースを含有するものであれば特に限定は無く、種々の木片、木粉、紙、パルプ、セルロース粉末などを基材として使用することができ、これらを複数混合して使用することもできる。これら基材に含浸させる食毒剤の濃度としては、0.01重量％以上２0重量％以下、好ましくは0.1重量％以上５重量％以下が望ましい。
【０００９】
本発明のシロアリ防除装置を地中に埋設する方法としては、シロアリから守るべき建物、樹木、材木などを特定し、その周囲に15cm以上10ｍ以下の間隔、好ましくは30cm以上５ｍ以下の間隔で、地表から深さ100cmまでの任意の深さに本発明のシロアリ防除装置を埋設する。
【発明の効果】
【００１０】
本発明のシロアリ防除用容器およびシロアリ防除装置を地下に埋設することにより、環境中に長期に残留することがなく、高いシロアリ防除効果を示すことができた。
【発明を実施するための最良の形態】
【００１１】
次に製剤例及び実施例によりさらに詳細に説明するが、本発明がこれらによって限定されることはない。
【実施例１】
【００１２】
シロアリ防除用容器の製造
外径6.8cm x 6.8cm x 2.1cmの直方体型で、シロアリの通過可能な５ｍｍｘ10ｍｍの孔８個、５ｍｍｘ１７ｍｍの孔８個および５ｍｍｘ2４ｍｍの孔４個を有する金型を準備し、生分解性樹脂50重量％（ワンダースターチ、ワンダー株式会社製）とポリプロピレン50重量％を均一に混合したものを材料として、射出成型機でシロアリ防除用容器を製造した。
【実施例２】
【００１３】
シロアリ防除装置の製造
昆虫成長制御剤であるビストリフルロン1.0重量％を含浸させた厚み0.29ｍｍの白色の紙を15mmの高さまで束ねて、6.5ｘ6.5cmの正方形の大きさに切断した。この切断した紙を実施例１で製造したシロアリ防除用容器に収納してシロアリ防除装置を完成した。
(比較例１)
【００１４】
シロアリ防除用容器の製造
外径6.8cm x 6.8cm x 2.1cmの直方体型で、シロアリの通過可能な５ｍｍｘ10ｍｍの孔８個、５ｍｍｘ１７ｍｍの孔８個および５ｍｍｘ2４ｍｍの孔４個を有する金型を準備し、ポリプロピレンを材料として、射出成型機でシロアリ防除用容器を製造した。
(比較例２)
【００１５】
シロアリ防除装置の製造
昆虫成長制御剤であるビストリフルロン1.0重量％を含浸させた厚み0.29ｍｍの白色の紙を15mmの高さまで束ねて、6.5ｘ6.5cmの正方形の大きさに切断した。この切断した紙を比較例１で製造したシロアリ防除用容器に収納してシロアリ防除装置を完成した。
【００１６】
試験１
プラスチックカップ（底面φ9.5cm、上面φ12cm、高さ9.5cm）に、木片を入れ、水分を20％含有する土壌を３cmの高さになるまで入れた。その後、ヤマトシロアリ職蟻100頭を放虫して、1週間放置した。次ぎに、実施例２のシロアリ防除装置１個を土壌表面に設置した後、この装置が土壌でかくれるまで土壌を加えた。
プラスチックカップの蓋をして、4週間室温で放置し、その後ヤマトシロアリ職蟻の死虫率を調査した。この試験手順を「刺激を与えない場合」とした。同様な手順で準備したプラスチックカップに、ヤマトシロアリ職蟻100頭を放虫して、1週間放置した。次ぎに、比較例２のシロアリ防除装置１個を土壌表面に設置した後、この装置が土壌でかくれるまで土壌を加えた。プラスチックカップの蓋をして、２週間室温で放置し、その後このカップからシロアリ防除装置を取り出して、もとの状態に戻すという刺激を与えて、その後２週間室温で放置した。合わせて４週間室温で放置し、その後死虫率を調査した。この試験手順を「刺激を与えた場合」とした。 
尚、無処理区として、有効成分を含まない実施例１のシロアリ防除装置を使用して、同様に実験を行った。その試験結果を表１に示す。
【表１】
2005168337.tif 000002
試験結果より、刺激を与えない場合の実施例２は、１００％の優れた防除効果を示したが、刺激を与えた場合（比較例２）は、わずか３５％の死虫率であった。このことから、シロアリを有効にかつ短期間に防除するには、刺激を与えない方が優れる防除効果が得られることが判明した。
【産業上の利用可能性】
【００１７】
本発明のシロアリ防除用容器およびシロアリ防除装置は、シロアリの防除に極めて有効に利用できる。